(57)【要約】【課題】  ユーザーが必要とする緊急性のメッセージを操作設定画面上に表示して迅速に伝達することができるボイスメモ付きテレビジョン装置を提供する。【解決手段】  音声データ制御部２４は、音声入力部２５から出力される音声データ信号をボイスメモファイルとして一時的に保存したり、カード型記録媒体２２に記録したボイスファイルから音声データを抽出したりするための音声データファイル制御部２６と、ボイスメモの記録又は再生するためのユーザー操作を支援する操作設定画面を生成する操作設定画面生成部２７とから構成される。  メッセージタイトルに「緊急」を指定して、記録終了が行われると、音声データファイル制御部２６は、この音声データファイルから「緊急」を認識して、ファイルの保存中又は保存直後にボイスメモリスト５６の表示内で優先的に表示する。【選択図】  図４
2005252979.tif 000002
【特許請求の範囲】
【請求項１】
外部の音声情報を記録又は再生する機能を搭載したボイスメモ機能付きテレビジョン装置において、
外部の音声情報を入力するための集音部と、
入力された外部の音声情報を、該音声に所定の音声処理を施した音声データを生成する音声処理部と、
前記音声処理を施した音声データを入力し、該音声データに所定の認識データを付して音声データファイルの生成管理を行う制御部と、
該音声データファイルの記録操作を支援する操作設定画面を生成する操作設定画面データを記憶した記憶部と、
前記音声データファイルの記録又は再生操作をするため操作部と、
前記操作設定画面を表示する表示部と、を備え、
前記操作画面には、生成された音声データファイルの性格を特定するための属性を選択するための選択手段と、生成された音声データファイルをリスト表示するためのリスト表示手段を有し、
前記操作部の前記記録操作が行われると生成された音声データファイルは前記リスト表示手段に他の音声データファイルと並んでリスト表示され、
前記選択手段において属性が選択された状態で前記操作部の前記記録操作が行われることにより、該記録操作によって生成された音声データファイルは他の音声データファイルと異なる表示状態でリスト表示されることを特徴とするボイスメモ機能付きテレビジョン装置。
【請求項２】
音声データファイルの性格を特定するための属性を選択する前記選択手段とは、該音声データファイルの緊急性の是非を選択するための選択手段であることを特徴とする請求項１に記載のボイスメモ機能付きテレビジョン装置。
【請求項３】
前記選択手段において属性が選択された状態で前記操作部の前記記録操作が行われることにより、該記録操作によって生成された音声データファイルは他の音声データファイルに対して優先的にリスト表示されることを特徴とする請求項１又は２に記載のボイスメモ機能付きテレビジョン装置。
【請求項４】
前記リスト表示手段は表示された複数の音声データファイルを上側から表示し、
前記選択手段において属性が選択された状態で前記操作部の前記記録操作が行われることにより、該記録操作によって生成された音声データファイルは他の音声データファイルに対して優先的に上側に配置されるようにリスト表示されることを特徴とする請求項３に記載のボイスメモ機能付きテレビジョン装置。
【請求項５】
前記選択手段において属性が選択された状態で前記操作部の前記記録操作が行われることにより、該記録操作によって生成された音声データファイルは他の音声データファイルに対して異なる表示形式でリスト表示されることを特徴とする請求項１又は２に記載のボイスメモ機能付きテレビジョン装置。
【請求項６】
前記選択手段において属性が選択された状態で前記操作部の前記記録操作が行われることにより、該記録操作によって生成された音声データファイルは他の音声データファイルに対して異なる表示色又は字体でリスト表示されることを特徴とする請求項５に記載のボイスメモ機能付きテレビジョン装置。
【請求項７】
前記制御部は、ユーザーにより前記音声データを記録開始又は記録停止指令を受けた際に、緊急性がある旨の前記識別データを付加して、前記音声データファイルを生成することを特徴とする請求項１乃至６のいずれか１項に記載のボイスメモ機能付きテレビジョン装置。
【請求項８】
前記制御部は、緊急性がある旨の認識データを含んだ前記音声データファイルが複数個ある場合、前記音声データファイルのうち、最先に記録したファイルを操作設定画面生成部に対して優先的にファイルリスト上に表示させることを特徴とする請求項１乃至７のいずれか１項に記載のボイスメモ機能付きテレビジョン装置。
【発明の詳細な説明】
【技術分野】
【０００１】
本発明は、ユーザーの音声メッセージを記録又は再生するボイスメモ機能付きテレビジョン装置に関する。
【背景技術】
【０００２】
従来技術として、記録した音声からより迅速に必要な情報を検索するために、入力した音声データを発音ごとに分割し、分割された音声データ内にユーザーの発音したキーワードとキーワード記憶部に記憶されているキーワードとの検索照合を行い、その照合結果に基づいて音声データを時系列に記録する音声記録装置および方法が提案されている（特許文献１参照）。
【特許文献１】特開２００３−６２０８号公報
【発明の開示】
【発明が解決しようとする課題】
【０００３】
しかしながら、上記に示した従来の技術では、音声データも時系列で保存されているので、緊急性の性格を有する音声データが記録された場合であっても結局時系列で保存されてしまうため、ユーザーが必要とする緊急性のメッセージを伝えるには迅速性に乏しいものとなってしまう恐れがあるという問題点があった。
【０００４】
また、入力した音声データを発音ごとに分割し、分割された音声データ内、メモリに記憶されているキーワードと検索照合する方式であるため、処理時間の観点からもユーザーが必要とする緊急性のメッセージを伝えるには迅速性に乏しいものとなってしまう恐れがあるという問題点があった。
【０００５】
さらに、キーワードが商品番号、技術用語、一般用語を含むか否かに応じて音声データに優先度を設けている。
【０００６】
ユーザーの望む優先度が、音声データから直接反映されない場合もあり、ユーザーが直接優先度を選択したい場合も有りうる。
【０００７】
そこで、本発明は、斯かる実情に鑑み、ユーザーに緊急性を要するメッセージを的確、迅速に伝えることができるボイスメモ機能付きテレビジョン装置を提供しようとするものである。
【課題を解決するための手段】
【０００８】
本発明に係るボイスメモ機能付きテレビジョン装置は、上述した課題を解決するため、以下の特徴点を備えている。
【０００９】
本発明に係るボイスメモ機能付きテレビジョン装置は、外部の音声情報を入力するための集音部と、入力された外部の音声情報を、該音声に所定の音声処理を施した音声データを生成する音声処理部と、前記音声処理を施した音声データを入力し、該音声データに所定の認識データを付して音声データファイルの生成管理を行う制御部と、該音声データファイルの記録操作を支援する操作設定画面を生成する操作設定画面データを記憶した記憶部と、音声データファイルの記録又は再生操作をするため操作部と、前記操作設定画面を表示する表示部と、を備え、前記操作画面には、生成された音声データファイルの性格を特定するための属性を選択するための選択手段と、生成された音声データファイルをリスト表示するためのリスト表示手段を有し、前記操作部の前記記録操作が行われると生成された音声データファイルは前記リスト表示手段に他の音声データファイルと並んでリスト表示され、前記選択手段において属性が選択された状態で前記操作部の前記記録操作が行われることにより、該記録操作によって生成された音声データファイルは他の音声データファイルと異なる表示状態でリスト表示されることを特徴とする。
【００１０】
本発明に係るボイスメモ機能付きテレビジョン装置は、音声データファイルの性格を特定するための属性を選択する前記選択手段とは、該音声データファイルの緊急性の是非を選択するための選択手段であることを特徴とする。
【００１１】
本発明に係るボイスメモ機能付きテレビジョン装置は、前記選択手段において属性が選択された状態で前記操作部の前記記録操作が行われることにより、該記録操作によって生成された音声データファイルは他の音声データファイルに対して優先的にリスト表示されることを特徴とする。
【００１２】
本発明に係るボイスメモ機能付きテレビジョン装置は、前記リスト表示手段は表示された複数の音声データファイルを上側から表示し、前記選択手段において属性が選択された状態で前記操作部の前記記録操作が行われることにより、該記録操作によって生成された音声データファイルは他の音声データファイルに対して優先的に上側に配置されるようにリスト表示されることを特徴とする。
【００１３】
本発明に係るボイスメモ機能付きテレビジョン装置は、前記選択手段において属性が選択された状態で前記操作部の前記記録操作が行われることにより、該記録操作によって生成された音声データファイルは他の音声データファイルに対して異なる表示形式でリスト表示されることを特徴とする。
【００１４】
本発明に係るボイスメモ機能付きテレビジョン装置は、前記選択手段において属性が選択された状態で前記操作部の前記記録操作が行われることにより、該記録操作によって生成された音声データファイルは他の音声データファイルに対して異なる表示色又は字体でリスト表示されることを特徴とする。
【００１５】
本発明に係るボイスメモ機能付きテレビジョン装置は、前記音声データファイル制御部が、ユーザーにより前記音声データを記録開始又は記録停止指令を受けた際に、前記識別データを付加して前記音声データファイルを生成することを特徴とする。
【００１６】
本発明に係るボイスメモ機能付きテレビジョン装置は、前記音声データファイル制御部が、緊急メモである旨の認識データを含んだ前記音声データファイルが複数個ある場合、前記音声データファイルのうち、最先に記録したファイルを操作設定画面生成部に対して優先的にファイルリスト上に表示させることを特徴とする。
【発明の効果】
【００１７】
本発明に係るボイスメモ付きテレビジョン装置は、上述した構成を備えているため、下記の効果を奏することができる。
【００１８】
本発明のボイスメモ付きテレビジョン装置によれば、保存又は記録された複数個のボイスメモのうち緊急性を有するものから操作設定画面上に表示することことから、優先的かつ迅速に、ユーザーは、ボイスメモを聞くことができる。
【００１９】
本発明のボイスメモ付きテレビジョン装置によれば、保存又は記録された複数個のボイスメモのうち緊急性を有するものと非緊急性のものとを操作設定画面上で区別して設定できることから、ユーザーは、緊急性のボイスメモを容易に選択して聞くことができる。
【００２０】
本発明のボイスメモ付きテレビジョン装置によれば、保存又は記録された複数個の緊急性を有するボイスメモのうち、最も先に保存したメモの順に操作設定画面上に表示することことから、ユーザーは、緊急性を有するボイスメモのうち最も緊急性のあるボイスメモを聞くことができる。
【発明を実施するための最良の形態】
【００２１】
以下、本発明の実施の形態を添付図面を参照して説明する。
【００２２】
図１〜図４は発明を実施する形態の一例であって、図中、同一の符号を付した部分は同一物を表わすものとする。
【００２３】
図１は、本発明に係るボイスメモ付きテレビジョン装置の実施形態の構成を示すブロック図である。
【００２４】
まず、図１を用いて本発明に係るボイスメモ付きテレビジョン装置の実施形態の概略構成について説明する。
【００２５】
ボイスメモ付きテレビビジョン装置１０は、テレビジョン放送信号を受信するアンテナ１１と、アンテナ１１によって受信されたテレビジョン放送信号を映像検波し、放送信号（映像信号および音声信号を含む）を出力する受信部１２と、入力された放送信号から映像信号を分離し、Ｒ，Ｇ，Ｂ信号に変換して出力する映像処理部１３と、入力された放送信号から音声信号を分離処理及びユーザーの音声を増幅し、その増幅された音声信号に所定の音声処理を行う音声処理部１４と、上記映像信号および後述するボイスメモための操作設定画面をＣＲＴや液晶ディスプレイ等に表示する表示部１５と、スピーカ１６と、メモリカード等のカード型記録媒体２０が挿入されるスロット部１７と、スロット部１７に挿入されたカード型記録媒体２０と通信制御を行うカード制御部１８と、上記音声処理部１４から伝送される音声データをボイスメモとしてファイル生成・削除等の管理およびボイスメモための操作設定画面の生成を行う音声データファイル制御部２６と、ボイスメモ付きテレビビジョン装置１０全体を制御する中央制御部（以下、ＣＰＵという）１９と、装置全体の制御を行うためのプログラムが記憶されているＲＯＭ１８と、ＣＰＵ１９に各種制御を行うための指示をユーザーが入力する操作部２０とから構成される。
【００２６】
更に、映像信号を表示する表示部１５に表示させたり、音声信号をスピーカ１６に出力したりするために、受信部１２からの放送信号又はカード型記録媒体２２から再生したデジタル信号（映像信号及び音声信号を含む）を選択する選択部２１が設けられている。この選択部２１は、ＣＰＵ１９によって制御される。一般的には、この選択部２１は、セレクタとも呼ばれ、集積回路ＩＣとして実現化されているものもある。
【００２７】
また、受信部１２からの放送信号が選択された場合、映像処理部１３及び音声処理部１４に伝達されると同時に、音声データ制御部２４にも伝達されカード型記録媒体２２に記録することもできる。
【００２８】
カード制御部１８は、カード型記録媒体２２に記憶されている映像信号と音声信号とからなるデータ信号を読み出し、映像信号を映像出力部１３に、音声信号を音声処理部１４にそれぞれ出力する再生処理と、受信部１２から出力される映像信号および音声信号とからなる放送信号をカード型記録媒体２２にデータ信号として書き込む記録処理とを行う。
【００２９】
このように、カード制御部１８は、受信部１２からの放送信号を書き込むための入力ラインとカード型記録媒体に記録されたデータ信号を出力する出力ラインが存在し、記録・再生ができるように双方向性ラインとなっている。
【００３０】
なお、後述するボイスメモ機能が動作した場合には、カード型記録媒体２２に記録された音声データ信号は、後述する音声データ制御部２４を介して選択部２１によって選択されて、映像処理部１３や音声処理部１４に伝送される。また、カード型記録媒体２２に記録する音声データファイルは、音声処理部１４からのユーザーの音声データ信号が直接専用回線により音声データ制御部２４に伝送され、音声データファイル化（詳細は、後述する）されてカード型記録媒体２２に記録される。
【００３１】
次に、放送信号又はボイスメモデータの記録・再生を行うカード型記録媒体２２及びその周辺部の構成並びにその動作について説明する。
【００３２】
図２（ａ）は、カード型記録媒体２２をスロット部１７に装着した状態を示す図である。
図２（ｂ）は、カード型記録媒体２２をスロット部１７に脱着しようとする状態を示す図である。
【００３３】
スロット部１７は、図２に示すように、挿入されたカード型記録媒体２２が収納されるカード用コネクタ３１と、カード用コネクタ３１に挿着されたカード型記録媒体２２の取り出しを行うためのプッシュロッド３２と、プッシュロッド３２が排出準備状態に移行したことを検出する排出準備状態検出センサ３３と、カード用コネクタ３１および排出準備状態検出センサ３３からの出力に応じて状態信号を出力する信号検出部３４とからなる。
【００３４】
プッシュロッド３２は、２段階の操作によってカード型記録媒体２２を排出する折れ曲がりタイプのプッシュロッドであり、カード用コネクタ３１にカード型記録媒体２２が挿着された状態で、図２（ａ）に示すように折れ曲げることにより、突出状態のプッシュロッド３２の誤操作により接続中のカード型記録媒体２２が意に反して排出されてしまうことを防止している。尚、このような排出機構を実現するプッシュロッド３２の具体的実施形態としては、例えば市販のロック状態を有するプッシュスイッチ及びこれに類するスイッチ部材などが挙げられる。
【００３５】
カード型記録媒体２２をカード用コネクタ３１から排出する際には、図２（ａ）に矢印で示す方向にプッシュロッド３２の折れ曲がり部分を回動させ（第１の操作）、図２（ｂ）に示すように、プッシュロッド３２を直線状にした状態で、プッシュロッド７２を図２（ｂ）に矢印で示す方向に押し込むことにより（第２の操作）、図示しないイジェクトレバーを作用させてカード型記録媒体２２を排出させる。
【００３６】
排出準備状態検出センサ３３は、例えば反射型光センサであり、図２に示すように、プッシュロッド３２の折れ曲がり部分を検出する位置に配置され、プッシュロッド３２の折れ曲がり部分の有無を検出することによって、プッシュロッド３２の折れ曲がり部分を回動させる第１の操作が行われて排出準備状態に移行したことを検出し、排出準備状態検出信号を信号検出部３４に出力する。
【００３７】
信号検出部３４は、排出準備状態検出センサ３３からの排出準備状態検出信号が入力されると、カード用コネクタ３１とカード型記録媒体２２との接続状態を検出するカード検出処理を行い、カード用コネクタ３１にカード型記録媒体２２が挿着されている場合には、排出準備状態検出信号をカード制御部１８に出力する。さらに、信号検出部３４は、カード用コネクタ３１とカード型記録媒体２２との接続状態を検出するカード検出処理を行うことで、カード用コネクタ３１からのカード型記録媒体２２の排出を検出し、カード用コネクタ３１からのカード型記録媒体２２の排出が検出されると、排出確認信号をカード制御部１８に出力する。
【００３８】
カード制御部１８は、信号検出部３４からの排出準備状態検出信号が入力されると、カード型記録媒体２２との間の通信状態を確認する通信状態確認処理を行い、カード型記録媒体２２と通信中である場合には、音声処理部１４を介してスピーカ１６から警報を出力すると共に、映像出力部１３を介して表示部５に警告表示を行ってユーザーに警告を報知することで、ユーザーにカード型記録媒体２２の取り出しを中止することを促す。
【００３９】
なお、カード型記憶媒体２２の現状の一般的仕様としては、ＰＣ−ＡＴＡカードタイプへの搭載が考えられる。ＰＣ−ＡＴＡカードを用いた場合には、プッシュロッド７２によるカード取り出し作業においてプロテクト機能が別段設けられてないことが多いからである。しかしながら本発明に主旨としてはＰＣ−ＡＴＡカードタイプ以外であってもこれに限定するものではない。
【００４０】
次に、本発明に係るボイスメモ付きテレビジョン装置のボイスメモ機能動作について図３から図５を用いて詳しく、以下に説明する。
【００４１】
図３は、図１からボイスメモ機能部分を抜き出したボイスメモ機能ブロック図である。
図４は、ボイスメモの音声データファイルの生成・消去の制御を行う音声データ制御部のブロック図である。
【００４２】
ボイスメモ機能を実現するために、ボイスメモ付きテレビジョン装置１０は、音声を入力するマイク２５と、マイク２５から入力された音声を増幅するためのアンプ２３と、アンプ２３によって増幅された音声信号に所定の処理を行う音声処理部１４と、メモリカード等のカード型記録媒体２０が挿入されるスロット部１７と、スロット部１７に挿入されたカード型記録媒体２０と通信制御を行うカード制御部１８と、上記音声処理部１４から伝送される音声データをボイスメモとしてファイル生成・削除等の管理およびボイスメモための操作設定画面の生成等を行う音声データファイル制御部２６とからなるデータ制御部２４と、音声データを記録するカード型記録媒体２２とを備えている。マイク２５は、入力した音声をアナログ音声信号に変換する。このアナログ音声信号は、アンプ２３によって適切なレベルに増幅されて音声処理部１４に入力される。音声処理部１４から出力された音声データ信号は、専用回線を介して、音声データ制御部２４に送られる。次に、音声データは、ボイスメモ用としてファイル化（詳細は後述する）されて、カード制御部１８に送られる。ここで、カード制御部１８に内蔵された信号処理部においてカード型記録媒体２２に書き込むためのデータフォーマットに変換され、カード制御部１８に内在するメモリ（図示せず）またはカード型記録媒体２２に記録される。
【００４３】
なお、カード制御部１８には、カード用マイコン（ＣＰＵを含む）やボイスメモを実行するためのプログラム等を記憶するメモリ、信号処理回路が含まれている。
【００４４】
上述したように、音声処理部１４には、アンプ２３を介してマイク２５が接続されるが、使用できるマイクとしては小型薄型が特徴である全指向性型のコンデンサタイプのマイクが、液晶テレビやプラズマディスプレイなどの薄型ディスプレイに適しているといえる。
【００４５】
音声処理部１４は、音声処理を行うサウンドプロセッサ４１と、ユーザーの希望に応じて適当に音声環境を設定切替する音声設定切替回路４２と、サウンドプロセッサ４１に設定された音声サンプリング用の周波数とは別に設けられた周波数を新たに加えることにより高音強調調整時などの音声環境の微調整することができるパライコライザ４３等とで構成される。尚、これらの各部間でデータの相互交換を行う信号バス・インターフェイスとしては、高速にデータ通信を行うために専用のバス・インターフェイスを採用している。
【００４６】
ここで、音声設定切替回路４２は、ユーザーの好みに応じて音声環境を調整するための回路であり、例えば、周知のドルビーデジタル（登録商標）環境からなるバーチャルサウンド環境に応じた音声バランスで制御することもできれば、単純な高音強調等の設定に応じた音声バランスを制御することもできる。
【００４７】
また、パライコライザ４３は、サウンドプロセッサ４１で用意されたサンプリング周波数とは異なる周波数によるサンプリング周波数によるサンプリングデータを処理するための回路であり、これにより同一の音声から拾う集音データをより多く取ることができるため、微妙な音声バランス調整を行うことができる。例えば、サウンドプロセッサ４１からの周波数を１２０／５００／１ｋ／５ｋ／１０ｋＨｚの５種用意したのに加え、パライコライザ（ＰＥＱ）４３で上記各周波数の間に新たに４つの周波数を追加してサンプリングさせておき、３００Ｈｚ辺りの低音域を弱める用にバランスを取りたい時は、サウンドプロセッサ４１で用意した１２０及び５００Ｈｚの周波数に対して弱めずに、パライコライザで用意した３００Ｈｚの周波数に相当するデータを弱めれば、１２０Ｈｚあるいは５００Ｈｚといった周波数のデータを不必要に弱めることなく（つまり極端に低音域を弱めることなく）、ユーザーの要望に応じた音声バランスを調整することができる。
【００４８】
このように、アンプ２３で増幅された音声データ信号は、ＳＰ４１に取り込まれた後、音声入力の環境に応じて、音声設定切替回路４２及びパライコライザ４３により音声バランス制御されて音声データとして再度、ＳＰ４１に取り込まれる。最終的に取り込まれた音声データは、ＳＰ４１により、常時、音声レベルの検出が行われて、その音声レベルのデータが音声データ制御部２４に伝送される。
【００４９】
音声データ制御部２４は、音声処理部１４から出力される音声データ信号を入力する音声入力部２５と、音声入力部２５から出力される音声データ信号をボイスメモのファイル形式に変換し、ボイスメモファイルとして一時的に保存したり、カード型記録媒体２２に記録したボイスファイルから音声データを抽出したりするための音声データファイル制御部２６と、ボイスメモの記録又は再生するためのユーザー操作を支援する操作設定画面を生成する操作設定画面生成部２７と、ボイスメモファイルをカード型記録媒体２２に記録・再生のためのカード制御部１８とのインタフェースであるカード制御インタフェースと、操作設定画面の表示ための映像信号およびボイスメモの再生する音声データ信号を選択部２１に伝送する選択部インタフェース２９とから構成される。
【００５０】
次に、表示部１５に表示されるボイスメモの操作設定画面に基づいて音声データ制御部２４の動作について説明する。
【００５１】
図５は、ボイスメモの操作設定画面の表示状態を示す図である。
【００５２】
まず、操作部（以下、リモコンという）２０のモード切替キーを押すことによって、ＣＰＵ１９は、モード状態をカードモードに切替る。ＣＰＵからのモード切替指令を受けて、カード制御部１８は、カード型記録媒体２２に記録されている各種アプリケーションのアイコンを表示部１５の画面に表示する。そして、ユーザーは、リモコン２０を用いて、表示されたアイコンのうち、ボイスメモ機能（音声入力機能）に関するアイコンを選択する。これにより、カード型記録媒体２２に記録されているボイスメモ機能を実行するアプリケーションがカード制御部１８にあるメモリにロードされて、このアプリケーションが起動し、音声データファイル制御部２６に指令が伝達される。音声データファイル制御部２６は、操作設定画面生成部２７から操作設定画面用データを受け取り、操作設定画面５０の初期画面の表示データを送出する。
【００５３】
尚、この操作設定画面は、表示部１５の表示画面全体に表示される必要はなく、例えば、カードモード切替操作前まで受信部１２からの放送信号の映像信号に対して、映像処理部１３の並列表示あるいは重畳処理表示処理によって子画面表示させたり、放送信号の映像信号をハーフトーン化して操作設定画面５０を優先的に前面表示させた状態で表示させてもよい。また、このボイスメモ動作を終了するには、リモコン２０を操作してボイスメモアプリケーションを終了すればよい。
【００５４】
ここで、操作設定画面５０上の各部位ついて以下に説明する。
通常、ボイスメモ動作開始時では、音声データファイル制御部２６は、カード制御部１８の指令により、新規に音声データファイルを生成し、その音声データファイルを記録するモードとなっている。すなわち、音声データファイル制御部２６は、ユーザーからの記録開始指令をいつでも受け付ける状態にあり、記録開始指令を受け付けると、音声処理部１４からの音声データを直ちに入力し、記録停止指令があるまで入力を続行する。また、その記録停止指令後、次の記録開始指令を待つ状態となる。
【００５５】
ユーザーは、ボイスメモを録音したい場合には、リモコン２０を操作して録音を開始させる。そして、録音を終了する時は、同様に、リモコン２０を操作して録音を終了させる。このとき、記録・停止ボックス５５は、録音中であることを示す○、記録停止中であることを示す□を表示する。この場合、記録停止表示ボックス５５の右に示す数字の１は、記録又は停止を実行するリモコン２０のキーが１ＣＨキーであることをユーザーに示している。
【００５６】
ボイスメモ動作起動後、リモコン２０の操作によって、カード制御部１８を上述した記録モードから再生モードに換えることが可能である。
【００５７】
操作設定画面５０のカード選択ボックス５１は、他のボイスメモカードを選択するボックスである。これにより、過去に記録されているボイスメモを再生することが可能である。
【００５８】
記録時間表示ボックス５４は、カード型記録媒体２２、例えば、カード０が記録可能な時間数に対する現在録音中の記録時間の割合を示すボックスであり、ユーザーは、カードを交換するか否かの判断をすることができる。また、交換を促すに当たって、記録時間のバー表示が一定値以上（例えば、８０％以上）に達した場合、又は、残り記録時間が一定時間以内（例えば、３０秒以内）に達した時、表示形式を変更するようにしてもよい。
【００５９】
この表示形式としては、例えば、ボックス内のバーの色変更又は点滅表示してもよい。さらに、これらを併用してもよい。
【００６０】
特に、色変更の場合は、通常状態の場合は緑色、一定値以上に達した場合には赤色と表示するのが適切である。
【００６１】
録音中の音声レベル表示５３は、ボイスメモを記録中に音声処理部１４に入力された音声入力レベルを表示したものである。この録音中の音声入力レベル表示は、複数のブロック状のレベル数に区分して表示し、音声入力レベルが大きいほど、ブロック数が増加する。そして、ある一定のブロック数以上に達した時は、表示色を変更し、ユーザーに入力音声レベルを下げるように促す。この場合、表示色の変更は、ブロック全体の色を変化させてもよく、一定値以上のレベルを示すブロックのみ色を変更してもよい。表示色としては、通常の入力レベルでは緑色、大音量時には赤色で表示するのが適切である。
【００６２】
上記大音量で録音したことを音声レベル表示５３で確認した場合に、ユーザーは、リモコン２０のテレビ音量調節キーの調整操作を行い、ブロック数が適量になるようにする。これにより、再生時に、適切な音量でボイスメモを再生することができる。
【００６３】
次に、上記ボイスメモのリスト上に新規のボイスメモが生成について説明する。
リモコン２０により録音開始から録音終了までの音声データが発生すると、音声データファイル制御部２６は、１個のボイスメモファイルを生成し、１時的に保存する。この生成されたボイスメモファイルは、操作設定画面生成部２７によって、ボイスメモリスト５６上に追加される。この音声データファイルは、音声データとともに、メモの属性、記録日時が書き込まれて構成される。ここで、属性とは、例えば、緊急性（家族全員対するメッセージ）メッセージ、家族の各メンバに対するメッセージであるかどうかの識別データをいう。このように、ボイスメモを記録する際は、操作設定画面５０上にメッセージを伝達する相手を特定したり、そのメッセージの特性（緊急性の有無）をあらわす属性を指定するメッセージタイトルボックス５２が設けられている。
【００６４】
このタイトルとしては、例えば、「Ｆｏｒ  Ｍｏｍ（お母さんへ）」、「Ｆｏｒ  Ｄａｄ（お父さんへ）」、「Ｆｏｒ  Ｋｉｄｓ（子供たちへ）」あるいは「Ｕｒｇｅｎｔ！（緊急）」等というメッセージタイトルが用意されている。そして、録音操作するユーザーがこれらのメッセージタイトルを選択した上で録音操作を行うことにより、メッセージを聞くべきユーザーが特定されるので、聞く必要のないユーザーの操作を誤って聞いてしまう事態を防止することができる。また、ユーザーに緊急のメッセージであることを伝えることも可能である。
【００６５】
メッセージタイトルボックス５２で、メッセージタイトルに「緊急」を指定して、記録処理が行われると、音声データファイル制御部２６は、この音声データファイルから「緊急」を認識して、ファイルの保存中又は保存直後にボイスメモリスト５６の表示内で優先的に表示する。これにより、保存又は記録された複数個のボイスメモのうち緊急性を有するものから優先的かつ迅速に聞くことが可能である。
【００６６】
更に、属性が「緊急」であるファイルの中でも、より先に保存された時刻を有するファイルが優先的にボイスメモリリスト５６上に表示するものとする。このような制御によって、記録されたメッセージを再生する際に、複数の緊急メッセージに対して緊急項目のみ時間経過を追ってリストの上側から順次選択して再生することが可能になる。故に、ある緊急事態が時間経過を伴う場合に一定時間ごとに緊急メッセージを入力する場合がありえるが、このような場合に緊急メッセージ同士の間で先の時間が上側にリスト表示しておけば、再生時に複数の緊急メッセージを時間優先で聞くようにユーザーの操作を促すことが可能になる。
【００６７】
次に、上記リスト表からメモを選択して再生する場合について説明する。
【００６８】
上記ボイスメモリスト５６に表示された各種メモのうち、ユーザーの選択によってリスト内でカーソル５８（太線で記載の枠）が移動し、選択したメモに対して、リモコン２０のＯＫキー（例えば、決定キーや確定キーであってもよい）を押下操作することにより、選択したメモの再生処理が行われる。
【００６９】
ボイスメモを保存する必要がなくなったときは、リスト表示上でその必要がなくなったファイルを指定して削除することができる。メッセージ削除表示ボックス５７の右に示す数字の２が、削除を実行するリモコン２０のキーが２ＣＨキーであることをユーザーに示している。又、緊急指定された音声データファイルが削除されるときは、『緊急メッセージです。削除して宜しいですか？』という削除操作前の警告表示を画面上に行い、ご操作等による削除がないようにユーザーに選択した操作の確認をうながすことができる。
【００７０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。尚、音声データ制御部はカード記録媒体２２に記録されたアプリケーションプログラムであっても良く、むしろその方がテレビジョン装置全体として必要とされるメモリー容量を必要時にのみ増設することになるので、使用状態に応じたメモリー容量を提供することが可能になる。
【図面の簡単な説明】
【００７１】
【図１】本発明に係るテレビジョン装置の実施形態の構成を示すブロック図である。
【図２】（ａ）は、カード型記録媒体をスロット部に装着した状態を示す図である。（ｂ）は、カード型記録媒体をスロット部に脱着しようとする状態を示す図である。
【図３】図１からボイスメモ機能部分を抜き出したボイスメモ機能ブロック図である。
【図４】ボイスメモの音声データファイルの生成・消去の制御を行う音声データ制御部のブロック図である。
【図５】ボイスメモの操作画面の表示状態を示す図である。
【符号の説明】
【００７２】
１０  テレビジョン装置
１１  アンテナ
１２  受信部
１３  映像出力部
１４  音声処理部
１５  表示部
１６  スピーカ
１７  スロット部
１８  カード制御部
１９  ＣＰＵ
２０  操作部
２１  選択部
２２  カード記録媒体
２３  アンプ
２４  音声データ制御部
２５  音声入力部
２６  音声データファイル制御部
２７  操作設定画面生成部
２８  カード制御インタフェース
２９  選択部インタフェース
３１  カード用コネクタ
３２  プッシュロッド
３３  排出準備状態検出センサ
３４  信号検出部
４１  サウンドプロセッサ
４２  音声環境切替手段
４３  パライオライザ
５０  ボイスメモ操作設定画面
５１  カード選択ボックス
５２  ボイスメモタイトルボックス
５３  音声入力レベル表示ボックス
５４  記録時間表示
５５  記録・停止表示ボックス
５６  ボイスメモリスト
５７  メッセージ削除表示ボックス
５８  カーソル
【図１】
2005252979.tif 000003
【図２】
2005252979.tif 000004
【図３】
2005252979.tif 000005
【図４】
2005252979.tif 000006
【図５】
2005252979.tif 000007